(57)【要約】【課題】船艙やバラストタンクの高所の壁面において、壁面が傾斜している場合であっても足場板を安定して取り付けることができる足場用ブラケットの構造を提供する。【解決手段】船艙またはバラストタンクの壁面のリブに固定されて縦状に配置される縦部材８と、縦部材８の上端から水平状に延設され、足場板が取り付けられる横部材９と、縦部材８と横部材９とに斜めに掛け渡される補強用の斜め部材１０と、を有して側面視三角状を呈する船艙またはバラストタンクの足場用ブラケット５の構造であって、縦部材８と横部材９とを互いに回動自在に連結し、縦部材８と横部材９との交差角度が可変となるように、縦部材８と横部材９と斜め部材１０の内の少なくとも一つにおいて三角部の辺の長さを調節可能とする長さ調節手段を設けた。【選択図】図５
0003152426.tif 000002
【実用新案登録請求の範囲】
【請求項１】
船艙またはバラストタンクの壁面のリブに固定されて縦状に配置される縦部材と、
縦部材の上端から水平状に延設され、足場板が取り付けられる横部材と、
縦部材と横部材とに斜めに掛け渡される補強用の斜め部材と、
を有して側面視三角状を呈する船艙またはバラストタンクの足場用ブラケットの構造であって、
縦部材と横部材とを互いに回動自在に連結し、
縦部材と横部材との交差角度が可変となるように、縦部材と横部材と斜め部材の内の少なくとも一つにおいて三角部の辺の長さを調節可能とする長さ調節手段を設けたことを特徴とする船艙またはバラストタンクの足場用ブラケットの構造。
【請求項２】
前記長さ調節手段は、縦部材と横部材と斜め部材の内の少なくとも一つの部材が伸縮自在に構成されたものである請求項１に記載の船艙またはバラストタンクの足場用ブラケットの構造。
【請求項３】
斜め部材は、二重管構造からなり、少なくとも一方の管には固定孔が複数穿設され、
任意の重なり代で管の固定孔同士をボルトまたは係合ピンで固定する構造としたことを特徴とする請求項２に記載の船艙またはバラストタンクの足場用ブラケットの構造。
【請求項４】
前記長さ調節手段は、縦部材および横部材に対する斜め部材の少なくとも一方の連結部の位置が可変に構成されたものである請求項１に記載の船艙またはバラストタンクの足場用ブラケットの構造。
【請求項５】
縦部材または横部材の少なくとも一方に前記連結部としての固定孔が複数穿設され、
斜め部材の端部を任意の固定孔にボルトまたは係合ピンで固定する構造としたことを特徴とする請求項４に記載の船艙またはバラストタンクの足場用ブラケットの構造。
【考案の詳細な説明】
【技術分野】
【０００１】
本考案は、バラ積み貨物船等の船艙やバラストタンクの壁面の状態を点検、保守整備するために使用される作業設備に関し、特に安定した足場の確保が困難な高所の壁面の点検、保守整備に適した足場用ブラケットの構造に関する。
【背景技術】
【０００２】
船艙やバラストタンクの高所の点検や保守整備等の作業を行う設備として、従来から梯子や組立足場が広く使用されており、移動性および作業安定性を有する梯子と組立足場とを組み合わせた設備の従来技術としては例えば特許文献１に記載のものが挙げられる。
【０００３】
また特許文献２には、一方が折り畳み式の脚体を有する一対の足場板を備え、一方の脚体付き足場板においてはその一端をバラストタンクの斜壁部のリブに係止させるとともに脚体を下方に引き出して重量支持させ、他方の足場板においてはその一端を脚体付き足場板の他端に係止させるとともに他端をバラストタンクの垂直壁部のリブに載せ掛けてなる足場装置が記載されている。
【０００４】
しかし、特許文献１に記載されている組立足場は鉛直な櫓状の枠組みとして形成されるものであるため、壁面にホッパ等の傾斜面が形成されている場合には、壁面と足場との距離が大きく離れることがあり、補助的な梯子などを組合せる必要が生ずる。また、特許文献２の技術は足場板をバラストタンクの壁面に掛ける構造のため、壁面のすぐ手前で安定した足場が確保されるものの、対向する２つの壁面に足場板を掛け渡し、かつ連結した足場板の中央部周りを脚体で重量支持させる構造のため、足場板の取り付け箇所は、２つの壁面が近接するバラストタンクの狭隘な底部周りに限られ、高所の壁面には適用が困難となる。
【０００５】
これに対し、特許文献３には、壁面のリブに固定される支持管と、支持管にクランプを介して固定される一対のブラケットと、両ブラケット間に掛け渡される足場板および手摺りとから構成される作業設備が記載されている。この作業設備によれば、支持管をリブに固定するのみで壁面に対する取り付けが完了することから、リブが条設されていれば取り付け場所の制約を受けることなく壁面のすぐ手間に足場を設けることが可能となり、また、一壁面のみを利用して取り付ける構造のため、対向する壁面が大きく離れることの多いバラストタンクや船艙の高所の壁面にも取り付けることができる。
【先行技術文献】
【特許文献】
【０００６】
【特許文献１】特開２００６−１０４９３０号公報
【特許文献２】特開２００７−６２５５１号公報
【特許文献３】登録実用新案第３１４６６１５号公報
【考案の概要】
【考案が解決しようとする課題】
【０００７】
ところで船艙又はバラストタンクの壁面は場所によって垂直方向から船幅の外側又は内側に傾斜することが多く、その傾斜角度も必ずしも一定していない。特許文献３に記載の作業設備では、前記ブラケットにおいて、壁面側に固定される縦管部と足場板等が取り付けられる横管部とが互いに固定された構造であるため、たとえば取り付ける壁面が内側に傾斜している場合には縦管部が傾斜して配置されるので、足場板を掛け渡すための横管部も傾斜して水平状態から傾き、作業用の足場としては不安定な状態となる。したがって、このように角度の異なる壁面に取付けるブラケットとしてはできるだけ水平状態に近い足場を確保するために縦管部と横管部との間の固定角度を異ならせた複数のタイプのブラケットを予め用意しておくことが必要になる。
【０００８】
本考案はこのような問題を解決するためになされたものであり、船艙やバラストタンクの高所の壁面において、壁面の傾斜角度が異なる場合であっても足場板を水平な状態に安定して取り付けることができる船艙またはバラストタンクの足場用ブラケットの構造を提供することを目的としている。
【課題を解決するための手段】
【０００９】
前記課題を解決するため、本考案は、船艙またはバラストタンクの壁面のリブに固定されて縦状に配置される縦部材と、縦部材の上端から水平状に延設され、足場板が取り付けられる横部材と、縦部材と横部材とに斜めに掛け渡される補強用の斜め部材と、を有して側面視三角状を呈する船艙またはバラストタンクの足場用ブラケットの構造であって、縦部材と横部材とを互いに回動自在に連結し、縦部材と横部材との交差角度が可変となるように、縦部材と横部材と斜め部材の内の少なくとも一つにおいて三角部の辺の長さを調節可能とする長さ調節手段を設けたことを特徴とする。
【００１０】
また、本考案は、前記長さ調節手段は、縦部材と横部材と斜め部材の内の少なくとも一つの部材が伸縮自在に構成されることを特徴とする。
【００１１】
また、本考案は、斜め部材は、二重管構造からなり、少なくとも一方の管には固定孔が複数穿設され、任意の重なり代で管の固定孔同士をボルトまたは係合ピンで固定する構造としたことを特徴とする。
【００１２】
また、本考案は、前記長さ調節手段は、縦部材および横部材に対する斜め部材の少なくとも一方の連結部の位置が可変に構成されることを特徴とする。
【００１３】
また、本考案は、縦部材または横部材の少なくとも一方に前記連結部としての固定孔が複数穿設され、斜め部材の端部を任意の固定孔にボルトまたは係合ピンで固定する構造としたことを特徴とする。
【考案の効果】
【００１４】
本考案の足場用ブラケットは、縦部材と横部材との交差角度が可変となるように、縦部材と横部材と斜め部材の内の少なくとも一つにおいて三角部の辺の長さを調節可能とする長さ調節手段を備えるため、船艙やバラストタンクの壁面に傾斜部が形成されている場合であっても、その傾斜角度に応じて前記交差角度を変えることで、縦部材を傾斜部に沿わせて固定したときの横部材の延設方向を水平に保つことができ、足場板の水平度を確保することができる。
【００１５】
長さ調節手段として、縦部材と横部材と斜め部材の内の少なくとも一つの部材を伸縮自在に構成すれば、足場用ブラケットを簡単かつ低コストで製作できる。特に、斜め部材を二重管構造とし、少なくとも一方の管には固定孔を複数穿設し、任意の重なり代で管の固定孔同士をボルトまたは係合ピンで固定する構造とすれば、迅速かつ容易に長さを調節でき、前記交差角度を所望の角度に設定できる。
【００１６】
また、長さ調節手段として、縦部材および横部材に対する斜め部材の少なくとも一方の連結部の位置を可変に構成しても、足場用ブラケットを簡単かつ低コストで製作できる。特に、縦部材または横部材の少なくとも一方に前記連結部としての固定孔を複数穿設し、斜め部材の端部を任意の固定孔にボルトまたは係合ピンで固定する構造とすれば、迅速かつ容易に長さを調節でき、前記交差角度を所望の角度に設定できる。
【図面の簡単な説明】
【００１７】
【図１】船の船首尾方向から見た作業設備の側面図である。
【図２】作業設備の分解斜視図である。
【図３】（ａ）、（ｂ）はそれぞれ作業設備に用いる第１クランプの斜視図、断面図である。
【図４】（ａ）は足場用ブラケットの側面図であり、（ｂ）は第２クランプ周りの平面図である。
【図５】第１実施形態に係る足場用ブラケットの外観斜視図である。
【図６】第１実施形態に係る足場用ブラケットの側面作用図である。
【図７】第２実施形態に係る足場用ブラケットの外観斜視図である。
【図８】第２実施形態に係る足場用ブラケットの側面作用図である。
【図９】船首尾方向から見た船の断面図である。
【考案を実施するための形態】
【００１８】
図９に示す船は例えばバラ積み貨物船であって、中央には下部にホッパを有した船艙ＣＨが形成され、左右舷の上部、下部には夫々上部バラストタンクＴ１、下部バラストタンクＴ２が形成されている。本考案の足場用ブラケットを備えた作業設備１は例えば船艙ＣＨの壁面Ｗに設置される。図１にも示すように、船艙ＣＨの船の船首尾方向に沿う壁面Ｗには、鉛直方向に対して湾曲状に傾斜した傾斜部Ｗａが形成されている。図２も参照して、壁面Ｗには船の船首尾方向に所定間隔で上下に延設する補強用縦リブとしてのフレームＦが条設されている。フレームＦは、壁面Ｗから直交して立ち上がるウェブＦａとウェブＦａの先端に形成されるフランジＦｂとからなり、断面Ｔ字形状または断面Ｌ字形状を呈する。なお、作業設備１を取り付けるリブとしては、当該フレームＦの他、特許文献３に記載の船首尾方向に延設されたロンジであってもよい。
【００１９】
作業設備１の基本構成は、リブ（フレームＦ）に複数の第１クランプ２を介して固定される支持部材３と、支持部材３に第２クランプ４を介して固定される一対の足場用ブラケット（以降、単にブラケットという）５と、両ブラケット５間に掛け渡される足場板６および手摺り７とからなる。
【００２０】
支持部材３として、本実施形態では特許文献３の図６に記載の梯子装置と同様のものを利用しており、当該梯子装置の構造の詳細については本考案の趣旨から外れるため説明は省略し、第１クランプ２の説明のみにとどめる。図３に示すように、第１クランプ２は、支持部材３（梯子装置の枠組みの内の横枠部）の外周面を外嵌固定する外嵌固定部２Ａと、フレームＦのフランジＦｂの両面を挟持固定する挟持固定部２Ｂとを有する。
【００２１】
外嵌固定部２Ａは、支軸５１をヒンジピンとして互いに回動する一対の半環形状の保持部５２、５３を有する。一方の保持部５２の先端にはボルト５４が回動自在に取り付けられ、他方の保持部５３の先端には倒したボルト５４を受け入れる一対の固定部５５が形成されており、保持部５２、５３で支持部材３の外周面を挟むように外嵌したうえでボルト５４を倒し、ナット５６を螺合して固定部５５に対して締め付けることで外嵌固定部２Ａが支持部材３に固定される。保持部５２には支持板５７が溶接等により固着されており、この支持板５７に設けた支軸５８回りに回動自在となるように挟持固定部２Ｂが設けられる。挟持固定部２Ｂは、支軸５８に取り付けられる本体５９の一端をフランジＦｂの一面に当接させ、他端に設けたボルト６０をフランジＦｂの他面に押し付けることでフレームＦを挟持固定する。
【００２２】
次いで、図４に示すように、ブラケット５は、第２クランプ４を一体的に有し、前記支持部材３を介して壁面ＷのフレームＦに固定されて縦状に配置される縦部材８と、縦部材８の上端から水平状に延設され、足場板６および手摺り７が取り付けられる横部材９と、縦部材８と横部材９とに斜めに掛け渡される補強用の斜め部材１０と、を有して側面視三角状を呈している。縦部材８、横部材９、斜め部材１０は例えば鋼管などの管材から構成され、管材とすることでブラケット５全体の強度が向上する。
【００２３】
図４において（ａ）はブラケット５の側面図を示し、（ｂ）は第２クランプ４周りの平面図を示している。縦部材８の上下には支持板１１がボルト１２等により固着されており、この支持板１１に対して第２クランプ４（保持部４２）が溶接や前記ボルト１２を利用して一体に固着されている。第２クランプ４は、支軸４１をヒンジピンとして互いに回動する一対の半環形状の保持部４２、４３を有し、一方の保持部４２の先端にはボルト４４が回動自在に取り付けられ、他方の保持部４３の先端には倒したボルト４４を受け入れる一対の固定部４５が形成されており、保持部４２、４３で支持部材３（梯子装置の枠組みの内の縦枠部）の外周面を挟むように外嵌したうえでボルト４４を倒し、ナット４６を螺合して固定部４５に対して締め付けることで第２クランプ４が支持部材３に固定される。
【００２４】
図２に示すように、横部材９の先端はＴ字状に分岐形成され、各分岐端に鉛直状の無蓋の固定筒部１３が溶接等により一体に設けられている。固定筒部１３には、手摺り７の縦材７Ａの下端が挿入される。手摺り７のがたつきを防止するため、筒壁には挿入された縦材７Ａを押さえ付けるための締め付けボルト１４（図４）が備えられている。
【００２５】
足場板６は、その左右縁に形成されたフック６Ａが横部材９に係止することで左右のブラケット５間に掛け渡される。手摺り７は、一対の縦材７Ａと、縦材７Ａ間に掛け渡され、一端が他端を中心として下方に回動開放可能な上下一対の水平索７Ｂとを備えており、各縦材７Ａは、各ブラケット５に形成された一対の固定筒部１３の内で足場板６寄りに位置する固定筒部１３にそれぞれ挿入固定される。
【００２６】
以上の構成からなる作業設備１において、本考案は、ブラケット５について、縦部材８と横部材９とを互いに回動自在に連結し、縦部材８と横部材９との交差角度が可変となるように、縦部材８と横部材９と斜め部材１０の内の少なくとも一つにおいて三角部の辺の長さを調節可能とする長さ調節手段を設けたことを主な特徴とする。以下、長さ調節手段について２つの実施形態を示して説明する。
【００２７】
「第１実施形態」
長さ調節手段の第１実施形態は、縦部材８と横部材９と斜め部材１０の内の少なくとも一つの部材を伸縮自在とした形態である。図５、６では斜め部材１０を伸縮自在とした場合を示しており、具体的には斜め部材１０を伸縮自在で任意の重なり代で固定可能な二重管構造とした例を示している。
【００２８】
図５に示すように、単管材からなる縦部材８の上部には、上方を開口側とした断面コ字状の連結片１５が固設されている。単管材からなる横部材９の基端周りは、この連結片１５に囲まれるようにして縦部材８に対して水平方向の連結軸１６回りに回動自在に連結される。勿論、連結片１５を横部材９側に設けてもよい。
【００２９】
縦部材８の下端寄りの周壁と横部材９の先端寄りの周壁には、夫々前記連結片１５と同様の断面コ字状を呈した連結片１７、１８が固設されている。管材からなる斜め部材１０の両端周りは、夫々連結片１７、１８に囲まれるようにして、縦部材８、横部材９に対して水平方向の連結軸１９、２０回りに回動自在に連結される。勿論、連結片１７、１８を斜め部材１０側に設けてもよい。
【００３０】
斜め部材１０は、前記したように二重管からなり、縦部材８または横部材９の一方（図では縦部材８）に連結される外管１０Ａと、縦部材８または横部材９の他方（図では横部材９）に連結され、外管１０Ａ内を摺動自在な内管１０Ｂとから構成される。外管１０Ａの周壁両側には固定孔２１が貫通形成されるとともに、内管１０Ｂの周壁両側には複数の固定孔２２が管の延設方向に間隔を空けて貫通形成されており、斜め部材１０の長さを調節して固定する際には、固定孔２１に任意の固定孔２２を一致させ、固定孔２１、２２にボルト２３を通してナット２４により締結固定する。固定孔２１と固定孔２２の重なり位置を固定できるものであれば、ボルト２３、ナット２４に限らずピン係合方式等を用いてもよい。また、場合によっては、複数の固定孔２２の代わりに、内管１０Ｂの周壁に管の延設方向に沿う長孔を設けて、固定孔２１と長孔の任意の箇所とをボルト２３、ナット２４で締結固定する態様にすることもできる。
【００３１】
以上から、任意の固定孔２２を選んで固定孔２１に一致させ固定することで、縦部材８と横部材９との交差角度θを、図６（ａ）に示す直角の他に、図６（ｂ）、（ｃ）に示す鈍角や図６（ｄ）、（ｅ）に示す鋭角に設定することができる。これにより、図１に示すように、壁面Ｗに傾斜部Ｗａが形成されている場合であっても、その傾斜角度に応じて前記交差角度θを変えることで、縦部材８を傾斜部Ｗに沿わせて固定したときの横部材９の延設方向を水平に保つことができ、足場板６の水平度を確保することができる。
【００３２】
「第２実施形態」
長さ調節手段の第２実施形態は、縦部材８および横部材９に対する斜め部材１０の少なくとも一方の連結部の位置を可変にした形態である。図７、図８では、縦部材８に対する連結部の位置と横部材９に対する連結部の位置の両方について可変にした場合を示しており、縦部材８の延設方向、横部材９の延設方向に夫々連結部の位置が変わるように構成している。
【００３３】
図７に示すように、縦部材８の下端寄りの周壁両側には連結部としての複数の固定孔２５が縦部材８の延設方向に間隔を空けて貫通形成されており、横部材９の先端寄りの周壁両側には連結部としての複数の固定孔２６が横部材９の延設方向に間隔を空けて貫通形成されている。
【００３４】
斜め部材１０は、例えば両端に断面コ字状の連結片２７、２８が固設された単管材からなり、一端側が連結片２７を介して縦部材８の任意の固定孔２５に対し、ボルト２９およびナット３０により締結固定され、他端側が連結片２８を介して横部材９の任意の固定孔２６にボルト３１およびナット３２により締結固定される。連結部の位置を固定できるものであれば、ボルト２９、３１、ナット３０、３２に限らずピン係合方式等を用いてもよい。
【００３５】
以上から、任意の固定孔２５、２６を選んで斜め部材１０を連結させることで、縦部材８と横部材９との交差角度θを、図８（ａ）に示す直角の他に、図８（ｂ）、（ｃ）に示す鈍角や図８（ｄ）、（ｅ）に示す鋭角に設定することができる。これにより、図１に示すように、壁面Ｗに傾斜部Ｗａが形成されている場合であっても、その傾斜角度に応じて前記交差角度θを変えることで、縦部材８を傾斜部Ｗに沿わせて固定したときの横部材９の延設方向を水平に保つことができ、足場板６の水平度を確保することができる。
【００３６】
以上、本考案の好適例を説明した。説明した実施形態では取り付け対象の壁面を船艙の壁面としたが、バラストタンクの壁面にも適用可能であることは勿論である。その他、本考案は図面に記載されたものに限定されることなく、その趣旨を逸脱しない範囲で様々な設計変更が可能である。
【符号の説明】
【００３７】
１    作業設備
３    支持部材
５    足場用ブラケット
６    足場板
７    手摺り
８    縦部材
９    横部材
１０    斜め部材
Ｗ    壁面
Ｗａ  傾斜部
θ    交差角度
【図１】
0003152426.tif 000003
【図２】
0003152426.tif 000004
【図３】
0003152426.tif 000005
【図４】
0003152426.tif 000006
【図５】
0003152426.tif 000007
【図６】
0003152426.tif 000008
【図７】
0003152426.tif 000009
【図８】
0003152426.tif 000010
【図９】
0003152426.tif 000011